(57)【要約】【課題】ユーザがチューリップ等の花卉の成長過程と開花状態との両方を鑑賞することができる栽培方法を提供する。【解決手段】本発明の栽培方法は、第１の場所で球根を冷凍処理保存する冷凍処理保存工程Ｓ１と、球根を第１の場所から第２の場所に輸送する輸送工程Ｓ２と、第２の場所で球根を栽培する栽培工程Ｓ３とを有し、輸送工程Ｓ２中に、冷凍状態の球根を所定環境に対して順化すること、及び栽培工程Ｓ３において複雑な設備や手順を必要とせず、簡易な栽培容器や手順で家庭室内での栽培を可能とすることを特徴とする。【選択図】        図１
2004261038.tif 000002
【特許請求の範囲】
【請求項１】
第１の場所で冷凍保存した球根を第２の場所に輸送する際、前記輸送期間の少なくとも一部を、冷凍状態の前記球根を所定環境に対して順化する順化期間に設定したことを特徴とする球根の輸送方法。
【請求項２】
輸送環境を制御する制御系を有する輸送装置を用いて前記輸送することを特徴とする請求項１記載の球根の輸送方法。
【請求項３】
前記第１及び第２の場所の少なくともいずれか一方で前記順化処理の一部を行うことを特徴とする請求項１又は２記載の球根の輸送方法。
【請求項４】
第１の場所で球根を冷凍処理保存する冷凍処理保存工程と、
前記球根を前記第１の場所から第２の場所に輸送する輸送工程と、
前記第２の場所で前記球根を栽培する栽培工程とを有し、
前記輸送工程中に、冷凍状態の前記球根を所定環境に対して順化することを特徴とする栽培方法。
【発明の詳細な説明】
【０００１】
【発明の属する技術分野】
本発明は、球根の輸送方法及び栽培方法に関し、特にチューリップの球根の輸送方法及び栽培方法に関するものである。
【０００２】
【従来の技術】
従来よりチューリップの栽培に関して種々の方法が提案されている。下記特許文献１〜３にはチューリップの栽培方法に関する技術が開示されている。また、下記特許文献４には植物用トレイ及びこれを備える栽培システムに関する技術が開示されている。
【０００３】
【特許文献１】
特開平６−１４５０１３号公報
【特許文献２】
特開平９−２７５７７１号公報
【特許文献３】
特開２００２−３０５９６４号公報
【特許文献４】
特表２００２−５１９００２号公報
【０００４】
ところで、チューリップは一般に春（例えば４〜５月頃）に開花するものであるが、春以外の季節にも鑑賞したい等の要望に応えるために、従来より促成栽培や抑制栽培の手法が採用されている。促成栽培、スーパー超促成栽培、超促成栽培、半促成栽培によりチューリップを冬から春先（例えば前年１２〜３月頃）に開花させることができ、一方、抑制栽培により夏から秋（例えば６〜１０月頃）に開花させることができる。
【０００５】
【発明が解決しようとする課題】
ところで、例えば秋頃にチューリップを観賞したい場合においてチューリップは抑制栽培の手法に基づいて栽培されることになるが、従来では、チューリップ栽培業者（以下、適宜「生産者」と称する）が栽培場（生産場）で抑制栽培を行い、チューリップを開花させてから切花として出荷していた。そして、鑑賞者（以下、適宜「ユーザ」と称する）は切花状態のチューリップを購入し、鑑賞していた。この場合、ユーザは開花状態のチューリップを観賞することはできるがチューリップの成長過程を鑑賞することはできず、チューリップの鑑賞を十分に楽しむことができないという問題があった。
【０００６】
本発明はこのような事情に鑑みてなされたものであって、ユーザがチューリップ等の花卉の成長過程と開花状態との両方を鑑賞することができる球根の輸送方法及び栽培方法を提供することを目的とする。
【０００７】
【課題を解決するための手段】
上記の課題を解決するため、本発明の球根の輸送方法は、第１の場所で冷凍保存した球根を第２の場所に輸送する際、前記輸送期間の少なくとも一部を、冷凍状態の前記球根を所定環境に対して順化する順化期間に設定したことを特徴とする。
【０００８】
チューリップの抑制栽培では冷凍保存状態の球根を所定環境（例えば１℃〜５℃の温度環境）に順化してから常温環境で栽培することになるが、本発明によれば、例えば球根生産場等の第１の場所から家庭等の第２の場所まで球根を輸送する間に冷凍状態の球根を順化するようにしたので、ユーザの手元に届く頃には球根の順化が終了する。したがって、ユーザは届いた球根の栽培を行うことにより球根から開花するまでの成長過程や開花状態を鑑賞することができる。また、抑制栽培に基づく球根の急速な成長過程を鑑賞することができ、ユーザに多大な満足感を与えることができる。
【０００９】
ここで、前記所定環境とは、球根が発芽及び発根可能な栽培環境（常温環境）に適応させるための環境であって、例えば１℃〜５℃の温度環境下である。そして、球根は輸送中において例えば−２℃の冷凍状態から１℃〜５℃程度にて１日〜２日かけて順化され、その後、常温環境（例えば１５℃〜３０℃）で栽培される。したがって、前記順化処理は冷凍状態の前記球根を解凍する処理を含む。
【００１０】
また、本発明における球根は、発根及び発芽状態の球根を含む。更に、球根を輸送する際に、球根は予め球根のみを冷凍保存したものを単体で輸送されてもよいし、培地に植えられた状態で輸送されてもよい。この場合、球根は培地とともに所定環境に対して順化される。
【００１１】
また、抑制栽培は、一般に６〜１０月頃の出荷に対して適用されるが、これは、それ以外の時期は他の合理的な栽培法により代替可能であるためであり、本発明の適用できる栽培時期が６〜１０月に限定されるものではない（例えば２〜１１月）。
【００１２】
本発明の球根の輸送方法において、輸送環境を制御する制御系を有する輸送装置を用いて前記輸送することを特徴とする。
本発明によれば、輸送中における順化環境を制御系で制御することができ、球根の順化処理を良好に行うことができる。
【００１３】
本発明の球根の輸送方法において、前記第１及び第２の場所の少なくともいずれか一方で前記順化処理の一部を行うことを特徴とする。
本発明によれば、最適順化期間が例えば２４時間（１日）であり、輸送期間が前記最適順化期間に対して短い（例えば８時間）場合でも、第１の場所あるいは第２の場所で不足分の順化期間（この場合１６時間）を補うための補正順化期間を設定することで、冷凍状態の球根を最適順化期間で順化してから栽培を開始することができる。
一方、輸送期間が最適順化期間に対して長い（例えば２日）場合には、輸送中の所定時間（この場合半日間）においては球根を冷凍し、残りの時間（すなわち半日間）で順化処理（あるいは栽培）を行えばよい。
【００１４】
本発明の栽培方法は、第１の場所で球根を冷凍処理保存する冷凍処理保存工程と、前記球根を前記第１の場所から第２の場所に輸送する輸送工程と、前記第２の場所で前記球根を栽培する栽培工程とを有し、前記輸送工程中に、冷凍状態の前記球根を所定環境に対して順化することを特徴とする。
本発明によれば、例えば球根生産場等の第１の場所から家庭等の第２の場所まで球根を輸送する間に冷凍状態の球根を順化するようにしたので、ユーザの手元に届く頃には球根の順化が終了する。したがって、ユーザは届いた球根の栽培を行うことにより球根から開花するまでの成長過程や開花状態を鑑賞することができる。仮に、ユーザに届いた時点で更なる順化が必要な場合でも、家庭用冷蔵庫にて容易に不足分の順化が行えるので、ユーザは特別な設備無しに栽培できる。また、抑制栽培に基づく球根の急速な成長過程を鑑賞することができ、ユーザに多大な満足感を与えることができる。
【００１５】
【発明の実施の形態】
以下、本発明の球根の輸送方法及び栽培方法について図面を参照しながら説明する。図１は本発明の輸送方法を含む栽培方法の一実施形態を示すフローチャート図である。
図１において、本実施形態に係る栽培方法は、第１の場所である球根生産場において球根を冷凍処理保存する冷凍処理保存工程Ｓ１と、球根を前記球根生産場から第２の場所である家庭に輸送する輸送工程Ｓ２と、家庭で球根を栽培する栽培工程Ｓ３とを有している。そして、輸送工程Ｓ２において、冷凍状態の球根を所定環境（例えば１℃〜５℃の温度環境）に対して順化するようになっている。
【００１６】
本実施形態において、チューリップは抑制栽培される。そのため、生産された球根は生産場（第１の場所）において所定のタイミングまで（例えばユーザから発注を受けるまで）、あるいは所定期間（例えば冬の１２月頃から次年の秋の９月頃までの１０ヶ月間）、冷凍可能温度環境（例えば−２℃）で冷凍処理保存される。冷凍処理保存されることにより球根の発根及び発芽を含む成長が抑制される。なお、冷凍処理保存中において、球根は単体で保存されてもよいし、土壌に埋設状態で保存されてもよいし、培地に植えられた状態で保存されてもよい。
【００１７】
抑制栽培において、冷凍状態の球根は所定環境（例えば１℃〜５℃の温度環境）にて順化される。本実施形態では、冷凍状態の球根を１℃〜５℃の温度環境下に例えば１日〜２日間程度配置することで、球根を前記所定環境に適応させる。ここで、順化処理は冷凍状態の球根の解凍処理を含む。なお、順化処理においても、球根は単体で順化されてもよいし、土壌に埋設状態で順化されてもよいし、培地に植えられた状態で順化されてもよい。
【００１８】
順化処理された球根は、例えば土壌や培地に植えられて栽培される。球根（チューリップ）を栽培する栽培環境はチューリップが成長及び開花可能な環境であって、例えば１５℃〜３０℃程度の屋外及び屋内（室内）の生活温度環境を含む。これにより球根（チューリップ）の成長及び開花条件が満足され、チューリップは急速に成長し、開花する。なお、栽培工程では、球根が植えられた培地に対して水又は硝酸カルシウム水溶水（以下、適宜「硝酸水」と称する）を適宜供給することが可能である。また、培地としてロックウール等の人工培地を用いることも可能である。更に、栽培の形態としては土耕でもよいし水耕でもよい。
【００１９】
特に、ロックウール等の人工培地を用い室内で栽培する場合、球根にセットした培地に対し蒸発分に相当する水又は硝酸水を適宜補給するのみでよく、水の循環機能等は必ずしも必要としない。また、自然風等の屋外環境も必要としない。したがって、簡易な栽培容器及び手順にて、一般家庭室内での手軽な栽培が楽しめる。
【００２０】
そして、本実施形態では、生産者のいる生産場（第１の場所）からユーザのいる家庭（第２の場所）に球根を輸送する際の輸送車（輸送装置）において順化が行われる。すなわち、第１の場所から第２の場所に球根を輸送する際の輸送期間が、冷凍状態の球根を順化する順化期間に設定されている。
【００２１】
図２は本発明の輸送方法を含む栽培方法の一例を示す模式図である。
球根生産場（第１の場所）１０において球根１が生産者により生産される。生産された球根１は−２℃程度で冷凍保存される。そして、家庭（第２の場所）２０にいるユーザから球根１が発注されると、冷凍処理保存されていた球根１は輸送車（輸送装置）５に積載される。ここで、本実施形態における輸送車５は略密閉された空間である貨物室６を備えており、この輸送車５の貨物室６内部の環境（輸送環境）は制御系７により制御される。ここでは、制御系７は貨物室（空間）６を３℃程度に設定する。そして、この貨物室６に冷凍状態の球根１が積載されることにより、冷凍状態の球根１は貨物室６内において第１の場所１０から第２の場所２０への輸送中に順化される。なお、輸送中の貨物室６内において、球根１は所定の収容部（箱）に単体で配置されていてもよいし、培地（鉢など）に植えられた状態で配置されていてもよい。こうして、球根１は３℃程度の温度環境下で輸送車５により冷蔵輸送される。なお、輸送車５としては温度環境を制御可能な制御系７を有する既存の輸送車（例えば宅配便用トラック）を用いることができる。
【００２２】
ここで、輸送中において球根１に対してなるべく光が当たらないようにすることが好ましい。また、輸送中にも球根１に対して水や硝酸水を適宜与えることができる。
【００２３】
輸送車５により球根１が家庭（第２の場所）２０に輸送されたら、この球根１はロックウール等の人工培地に植えられる。なお、人工培地でなく土壌に植えることももちろん可能である。更に、屋内で栽培してもよいし屋外で栽培してもよい。このときの栽培環境は１５℃〜３０℃程度の生活環境温度である。ここで、球根１を植える際には球根１の外皮の一部を剥離することが好ましい。外皮を剥離することにより発根（あるいは発芽）しやすくなる。ここで、球根１は輸送車５での輸送中において適度な振動を与えられているため、外皮を剥離しやすくなっている。そして、培地に植えられた球根１に対して水や硝酸水を適宜供給することにより球根（チューリップ）は急速に成長し、栽培を開始してから例えば１０日〜２週間程度で開花する。
【００２４】
図３は輸送期間の少なくとも一部が順化期間に設定されている様子を説明するための説明図である。例えば、最適順化期間Ｒが２４時間（１日）であって、輸送期間Ｂも１日である場合、図３（ａ）に示すように、輸送期間Ｂと順化期間Ａとはほぼ同じに設定される。
【００２５】
一方、最適順化期間Ｒが１日であって、輸送期間Ｂが最適順化期間Ｒに対して短い（例えば８時間）場合、図３（ｂ）に示すように、不足分の順化期間である１６時間を、生産場（第１の場所）１０あるいは家庭（第２の場所）２０で補うことができる。すなわち、第１の場所１０あるいは第２の場所２０において前記不足分を補正する補正順化期間Ｃが設定される。これにより、最適順化期間Ｒを満足してから栽培を開始することができる。ここで、家庭２０において最適順化温度（１℃〜５℃程度）に温度制御することは家庭用冷蔵庫の一般的な庫内温度が当該温度範囲に丁度適合するため、何ら付加的な設備を準備することなく実施可能である。
【００２６】
また、最適順化期間Ｒに対して輸送期間Ｂが長い（例えば１．５日）場合、図３（ｃ）に示すように、輸送期間Ｂ中の初めの期間（例えば２４時間）を球根に対して順化処理する順化期間Ａとし、輸送期間Ｂの残りの一部の期間を常温環境にして栽培する栽培期間Ｅとすればよい。
【００２７】
以上説明したように、球根生産場（生産者）１０から家庭（ユーザ）２０まで球根１を冷蔵輸送する間に冷凍状態の球根を順化するようにしたので、ユーザの手元に届く頃には球根の順化が終了し、ユーザは届いた球根の栽培を行うことで、球根から開花するまでの成長過程や開花状態を鑑賞することができる。また、抑制栽培に基づく球根の急速な成長過程を鑑賞することができ、ユーザは多大な満足感を得ることができる。
【００２８】
生産場１０において順化処理を行ってから輸送することも考えられるが、この場合、球根１は順化処理が終了した状態、すなわち発根及び発芽可能な状態で輸送されることになる。ところが、輸送車５の貨物室６内部を栽培に適した環境にすることは困難であるため、球根１は栽培に不適な環境（良好な土壌が整備されていない等）で輸送されることになる。すると、球根１の品質劣化につながり、家庭２０において発芽及び発根しない可能性が生じる。あるいは、輸送中から急速な成長が始まるため、輸送梱包上の問題が生じる。また、ユーザに届いた時点ですでに成長がはじまっており、成長過程全体を鑑賞することができない。
一方、冷凍状態の球根１をユーザの手元まで輸送し、ユーザが冷凍状態の球根を順化する構成も考えられるが、冷凍温度（一般に−２℃）は±１℃以内で厳密に管理することが必要であり、例えばこれ以下になると細胞が凍結し、損傷を受ける。この冷凍温度−２℃は宅配便等で行われる通常の冷凍輸送温度とは異なるため、他の貨物との混載が著しく困難となる。そのため、球根専用の輸送となり、大きな費用がかかるため、小口のユーザへの輸送は事実上困難である。
したがって、本発明のように、温度制御系７を有する既存の輸送車（宅配便用トラック）５の貨物室６内において順化処理することで、上記問題を解決することができる。
【００２９】
なお、本実施形態では、チューリップの球根の輸送方法やチューリップの栽培方法について説明したが、球根状態から抑制栽培可能な花卉の全て（例えばユリなど）に対しても本発明を適用することができる。
【００３０】
＜実験例＞
以下、実験例及びその結果について説明する。以下に説明する実験では、生産場（第１の場所）において生産された複数品種の球根を互いに異なる条件で輸送し、輸送した球根を家庭（第２の場所）において異なる条件で栽培し、開花したかどうかを評価した。家庭での栽培において、球根は人工培地（供試体）にセットされ、所定の設置場所に設置された。
【００３１】
〔実験例１〕
（使用した球根）
Ａ、Ｂ、Ｃの３品種の球根について実験を行った。品種Ａ、品種Ｂ、及び品種Ｃの各サンプル数はそれぞれ３つとした。すなわち、合計９個の球根について実験を行った。具体的には、「紫水晶」、「黄小町」、「白雲」という品種を用いた。
（輸送条件）
輸送車による輸送期間は１日とした。具体的には、生産場からの球根発送日は８月２０日、家庭への球根到着日は８月２１日であった。そして、上記各品種Ａ〜Ｃの３つずつの球根のうち１つずつに関しては冷蔵輸送（約３℃にて輸送）し、残りの球根に関しては常温輸送した。
（家庭に到着後の処理）
家庭に到着した球根のうち、冷蔵輸送した球根に関しては家庭用冷蔵庫（約３℃に設定）で約１日間保管した。常温輸送した球根に関しては常温で約１日保管した。そして保管後、各球根のそれぞれを供試体にセットアップした（すなわち、供試体にセットアップしたのは８月２２日）。
（供試体セットアップ条件）
培地には人工培地であるロックウール（商品目「ロックファイバ」以下同じ）を用いた。予め十分に給水したロックウール（１０×１０×５ｃｍ程度）の上面中央部を直径約４ｃｍの円筒状（底面の１．５ｃｍ厚程度を残した有底円筒状）にくり抜き、この中に球根をセットした。球根をセット後、球根とロックウールとの間の空隙にもロックウールを詰め込んで空隙を埋めた。そして、球根をセットしたロックウールを、このロックウールとほぼ同サイズの直方体状のポリプロピレン製容器に入れた。ロックウールはポリプロピレン製容器の内部に直接置かれた状態であって、ロックウール底面とポリプロピレン製容器底面とは接しており、スペースは空いていない状態である。また、ポリプロピレン製容器には水逃がし用の穴は形成されていない。
（設置場所）
一般家庭室内の出窓スペース（２階南側窓際）に上記供試体を横一列に並べて設置した。家庭での栽培実験実施期間（設置期間）は８月２２日〜９月４日であった。なお、栽培実験は東京地方で行い、この栽培実験実施期間における戸外最高気温は２３．７℃〜３２．８℃、最低気温は２０．９〜２７．２℃であった。また、栽培実験において室内温度は制御しなかった（エアコン無し状態）。当初、窓は殆ど開けずほぼ無風状態とした。そのため、昼間における室内（設置場所）は非常に高温となった。なお、後述するように途中、球根にカビの発生が認められてから昼間のみ窓を開けた状態で実験を行った。窓にはレースカーテンをし、わずかに減光状態（直射日光には晒されないが晴れの日には相当量の日光を浴びる状態）とした。
（給水）
ロックウール上面が乾いた状態になったら給水を実施した。給水は１〜２日に１回の頻度で行った。１回の給水で約５０〜７０ｍｌの硝酸水又は水（水道水）をロックウール上面から注いだ。各品種Ａ〜Ｃのそれぞれに関しての実験条件をまとめると以下のとおりとなる。
・条件１：冷蔵輸送（約３℃にて輸送）、栽培中は硝酸水を給水。
・条件２：常温輸送、栽培中は硝酸水を給水。
・条件３：常温輸送、栽培中は水（水道水）を給水。
なお、上記用いた硝酸水は硝酸カルシウム濃度０．５ｇ／Ｌの硝酸水である。
（結果）
表１に実験結果を示す。表１に示すように、条件１（冷蔵輸送＋硝酸水）の品種Ｂ（黄小町）が開花し、その他は茎部が成長したものの開花しなかった。
条件１の品種Ｂは、８月２２日に栽培を開始してから８日目（８月３０日）に開花した。開花状態は２日間続いた（９月１日朝まで開花した）。開花状態での花弁長は４ｃｍ、茎長は１４ｃｍであった。なお、栽培を開始してから５日目に、条件２の品種Ｂにカビの発生が認められた。そのため、その後の実験は窓を開けて通気を行った状態で行った。
【００３２】
【表１】
2004261038.tif 000003
【００３３】
なお、本実験例１は真夏頃に、しかも温度的に最も高温側に厳しい条件を意図的に再現したものである。
【００３４】
〔実験例２〕
（使用した球根）
Ａ、Ｂ、Ｃの３品種の球根について実験を行った。品種Ａ、品種Ｂ、及び品種Ｃの各サンプル数はそれぞれ２つである。すなわち、合計６個の球根について実験を行った。なお、具体的な品種は実験例１同様、「紫水晶」、「黄小町」、「白雲」である。
（輸送条件）
輸送車による輸送期間は１日とした。具体的には、生産場からの球根発送日は９月１７日、家庭への球根到着日は９月１８日であった。そして、上記各品種Ａ〜Ｃの全ての球根を冷蔵輸送（約３℃にて輸送）した。
（家庭に到着後の処理）
冷蔵輸送された球根に関して家庭用冷蔵庫（約３℃に設定）で約１日間保管した。保管後、球根を供試体にセットアップした（すなわち、供試体にセットアップしたのは９月１９日）。
（供試体セットアップ条件）
培地には人工培地であるロックウールを用いた。供試体の条件は実験例１と同様である。
（設置場所）
一般家庭室内の出窓スペース（２階南側窓際）に上記供試体を横一列に並べて設置した。家庭での栽培実験実施期間（設置期間）は９月１９日〜１０月８日であった。なお、栽培実験は東京地方で行い、この栽培実験実施期間における最高気温は１９．３℃〜２９．２℃、最低気温は１７．１〜２２．３℃であった。また、栽培実験において室内温度は制御しなかった（エアコン無し状態）。昼間は窓を開けた時間を比較的多くした。一方、夜間は窓を閉めほぼ無風状態とした。窓にはレースカーテンをし、わずかに減光状態（直射日光には晒されないが晴れの日には相当量の日光を浴びる状態）とした。
（給水）
ロックウール上面が乾いた状態になったら給水を実施した。給水は１〜２日に１回の頻度で行った。１回の給水では約５０〜７０ｍｌの硝酸水又は水（水道水）をロックウール上面から注いだ。各品種Ａ〜Ｃのそれぞれに関しての実験条件をまとめると以下のとおりとなる。
・条件１：冷蔵輸送（約３℃にて輸送）、栽培中は硝酸水を給水。
・条件２：冷蔵輸送（約３℃にて輸送）、栽培中は水（水道水）を給水。
なお、上記用いた硝酸水は硝酸カルシウム濃度０．５ｇ／Ｌの硝酸水である。
（結果）
表２に実験結果を示す。表１に示すように、品種Ｂ（黄小町）は条件１（冷蔵輸送＋硝酸水）及び条件２（冷蔵輸送＋水）の両方で開花した。一方、品種Ａ（紫水晶）及び品種Ｃ（白雲）は、条件１（冷蔵輸送＋硝酸水）のみで開花した。
条件１の品種Ｂ（黄小町）は、９月１９日に栽培を開始してから１０日目（９月２９日）に開花した。開花状態は６日間続いた（１０月４日まで開花した）。開花状態での花弁長は５．２ｃｍ、茎長は１２．６ｃｍであった。なお、花弁長及び茎長の計測は９月３０日に行った。
条件１の品種Ａ（紫水晶）は、９月１９日に栽培を開始してから１３日目（１０月２日）に開花した。開花状態は６日間続いた（１０月７日まで開花した）。開花状態での花弁長は３．８ｃｍ、茎長は２９．７ｃｍであった。なお、花弁長及び茎長の計測は１０月３日に行った。
条件１の品種Ｃ（白雲）は、９月１９日に栽培を開始してから１１日目（９月３０日）に開花した。開花状態は６日間続いた（１０月５日まで開花した）。開花状態での花弁長は５．０ｃｍ、茎長は２２．１ｃｍであった。なお、花弁長及び茎長の計測は９月３０日に行った。
条件２の品種Ｂ（黄小町）は、９月１９日に栽培を開始してから１０日目（９月２９日）に開花した。開花状態は６日間続いた（１０月４日まで開花した）。開花状態での花弁長は５．２ｃｍ、茎長は１２．６ｃｍであった。なお、花弁長及び茎長の計測は９月３０日に行った。
【００３５】
【表２】
2004261038.tif 000004
【００３６】
実験例２において、硝酸水で栽培したものは３品種全てが開花まで育成した。したがって本実験により、冷蔵輸送球根を硝酸水で栽培することにより、一般家庭の室内でも多くの品種のチューリップを開花可能であることが示された。なお、実験例２では、特に白雲及び紫水晶において、硝酸水で栽培した場合のほうが水道水のみでの栽培に比べて大きく育つ傾向が見られた。
黄小町は、水道水と硝酸水との両条件ともに開花に至った。このことから、今回実験した３品種の中では、黄小町が一般家庭の室内での栽培でもっとも開花しやすい品種であると判断できる。なお、黄小町においては、栽培水の違いが栽培開始から開花するまでの到花日数や、開花状態が続いている日数である開花にっすに与える影響はほどんど認められなかった。
白雲及び紫水晶は、硝酸水のみで開花に至った。ただし、白雲については、水道水の場合でも開花に近い状態（蕾がわずかに認められる程度）にまでは生育した。白雲は、たまたま当初から二股に分かれて２本が生育する状態になっており、エネルギーが分散され、これが開花に至らなかった原因の１つであると考察される。
【００３７】
〔実験例３〕
（使用した球根）
黄小町（品種Ｂ）のみを使用した。サンプル数は６つとした。
（輸送条件）
輸送車による輸送期間は１日とし、６つのうち４つの球根を冷蔵輸送（約３℃にて輸送）し、残りの２つの球根を常温輸送した。
（家庭に到着後の処理）
球根が家庭に到着後、各球根を直ちに供試体にセットアップした（供試体にセットアップしたのは９月１８日）。
（供試体セットアップ条件）
培地には人工培地であるロックウールを用いた。供試体の条件は実験例１、２と同様である。
（設置場所）
栽培環境を制御可能な人工気象機内に上記供試体を設置した。室内温度は２２℃一定とし、供試体に照度１１００〜１１５０ｌｘの光を照射した。
（給水）
ロックウール上面が乾いた状態になったら給水を実施した。給水は１〜２日に１回の頻度で行った。１回の給水では約５０〜７０ｍｌの硝酸水又は水（水道水）をロックウール上面から注いだ。球根（黄小町）に対する輸送及び栽培条件をまとめると以下のとおりとなる。
・条件１：冷蔵輸送（約３℃にて輸送）、栽培中は硝酸水を給水。
・条件２：冷蔵輸送（約３℃にて輸送）、栽培中は水（水道水）を給水。
・条件３：常温輸送、栽培中は硝酸水を給水。
なお、上記用いた硝酸水は硝酸カルシウム濃度０．５ｇ／Ｌの硝酸水である。
（結果）
品種Ｂ（黄小町）は条件１（冷蔵輸送＋硝酸水）及び条件２（冷蔵輸送＋水）の両方で全て開花した。一方、条件３（常温輸送＋硝酸水）では開花しなかった。
【００３８】
以上の実験から、本発明による栽培を行えば、少なくとも通常の抑制栽培と同様に１０月頃までは室内で開花が楽しめることが確かめられた。このことは、冷蔵順化輸送を経た球根が、通常の抑制栽培球根に比べ遜色ない品質を維持できていることを示す。したがって、一般に冷凍貯蔵期間が短いほど球根の劣化度は低くなるため、本発明による栽培法で１０月以前に開花に至るか否かは、ほとんど成長時の環境条件（温度等）のみに依存して決まることになる。通常の冷凍貯蔵球根による抑制栽培では栽培温度を１５℃に調整すれば２月からでも開花することが確認されている。このことから本発明による栽培法においても、例えば病院等の常時空調（温度調節）可能な室内環境であれば、少なくとも２月頃から栽培が楽しめる。また、室内は戸外より温度が高いことを考慮すると、戸外平均気温が１０℃を越える４月初旬頃以降（東京地方の場合）なら、特別な温度調節が無くとも多くの品種の開花が可能である。
【００３９】
【発明の効果】
以上説明したように、本発明によればユーザは球根からの開花するまでの急速な成長過程や開花状態を鑑賞することができるため、多大な満足感を得ることができる。
【図面の簡単な説明】
【図１】本発明の輸送方法を備えた栽培方法の一実施形態を示すフローチャート図である。
【図２】栽培方法の具体例を示す模式図である。
【図３】輸送期間と順化期間との関係を示す説明図である。
【符号の説明】
１…球根、  ５…輸送車（輸送装置）、  ７…制御系、
１０…球根生産場（第１の場所）、  ２０…家庭（第２の場所）、
Ａ…順化期間、  Ｂ…輸送期間、  Ｓ１…冷凍処理保存工程、
Ｓ２…輸送工程、順化工程、  Ｓ３…栽培工程
【図１】
2004261038.tif 000005
【図２】
2004261038.tif 000006
【図３】
2004261038.tif 000007